(57)【要約】      （修正有）【課題】水分や匂いを吸収でき、抗菌性や防カビ性を有する骨壺を提供する。【解決手段】骨壺として遺骨を収納するための骨箱１は、上部に開口を有する本体部３と、上記開口を開閉可能に閉鎖するふた部５とを備える。この骨箱１は、本体部３を、長方形の各角部を切り欠いた８角形の水平断面形状を有し、炭粉末およびバインダを含む炭含有体とした。また、本体部３およびふた部５の外面には全体に、漆塗りが施される。【選択図】図１
0003184753.tif 000002
【実用新案登録請求の範囲】
【請求項１】
遺骨を収納するための骨壺において、
上部に開口を有する本体部と、
前記開口を開閉可能に閉鎖するふた部と、を備え、
前記本体部を、炭粉末およびバインダを含む炭含有体とした、骨壺。
【請求項２】
請求項１に記載の骨壺において、前記本体部は、長方形の各角部を切り欠いた８角形の水平断面形状を有する、骨壺。
【請求項３】
請求項１又は２に記載の骨壺において、前記炭含有体は、前記炭粉末および前記バインダを含む混合物を成型してなる炭板である、骨壺。
【請求項４】
請求項１から３のいずれかに記載の骨壺において、前記炭粉末は果物の樹木の炭粉末であり、前記バインダは木工のりである、骨壺。
【請求項５】
請求項１から４のいずれかに記載の骨壺において、前記骨壺は、前記本体部および前記ふた部が木製である骨箱である、骨壺。
【請求項６】
請求項５に記載の骨壺において、前記本体部および前記ふた部は、少なくとも外面が漆塗りされている、骨壺。
【請求項７】
請求項１から６のいずれかに記載の骨壺において、前記本体部は、故人に関する情報を表示するように構成された前面を備える、骨壺。
【請求項８】
請求項１から７のいずれかに記載の骨壺において、前記炭含有体は、前記本体部内に取り外し可能に装入され、前記本体部に収納される遺骨と前記本体部の内壁との間を隔てるように配置される炭含有枠体である、骨壺。
【考案の詳細な説明】
【技術分野】
【０００１】
本考案は、遺骨を収納するための骨壺に関する。特に、屋内納骨堂や、個人の家庭に設置される納骨式の仏壇に収めるのに適した骨壺に関する。
【背景技術】
【０００２】
現在、土地の確保の困難さや価格の高さ等から、個人の住居の近くに墓地を持つことが困難となっている。この傾向は特に都市部で顕著である。そのため、墓参りをするにも、郊外の墓地まで、小旅行をする覚悟で、いくつも電車を乗り換え、または何時間も自動車を走らせて、出かけて行き、戻ってこなければならない。そのような状況から、先祖や故人を敬う気持ちはあっても、ついつい墓参の頻度が間遠くなってしまう。そのような不便さを回避するため、あるいはまた、故人をいつでも身近に感じ、毎日のように供養したいという個人的な希望から、自分の住居の近くの屋内納骨堂や、住居内に設置する納骨式の仏壇内に遺骨を収納することが多くなっている。
【０００３】
しかし、屋内納骨堂や住居内に設置される仏壇に、従来から墓内で使用されていた骨壺をそのまま使用するのは、必ずしも適切とはいえない場合がある。そのような骨壺は、人目のつかない墓内に収められることを意図したものであり、視覚的に快い印象を与えるとは限らないからである。外観の点はさておくとしても、そのような骨壺を屋内納骨堂等で使用した場合には、密閉性が不十分なこともあり、遺骨が水分を吸収して、遺骨にカビや細菌が発生したり、異臭が生じたり、長期間の時間の経過によって遺骨が変色することもある。そのようなことから、屋内納骨堂や仏壇内に収納するのに適した骨壺が求められている。
【０００４】
このような問題に対する対策として、例えば特許文献１に提案された屋内用骨箱がある。この骨箱は、木材で形成された水平断面形状が４角形の本体および蓋を含み、本体および蓋の全体（表面および裏面）に漆塗りが施されたものである。この骨箱は、骨箱の全体に塗られた漆により、屋内用の骨箱にふさわしい外観を提供するとともに、漆の持つ抗菌効果や殺菌効果により、また漆によって耐水性や耐湿性を向上させることにより、カビや細菌や異臭の発生を抑え、遺骨を乾燥した状態に保ち、遺骨を衛生的に保存しようとするものである。また、特許文献１の骨箱は、大小２つの、サイズは異なるが構成は同一の外箱と内箱とを用い、遺骨を収納した内箱を外箱の中に配置して、骨箱を二重構造にすることを提案するものである。漆塗りは外箱と内箱のいずれにも施される。このように構成することにより、より確実にカビや細菌の繁殖を抑え、遺骨を乾燥した状態に保ち、遺骨を衛生的に保存しようとするものである。
【先行技術文献】
【特許文献】
【０００５】
【特許文献１】登録実用新案第３１３８０９６号公報
【考案の開示】
【考案が解決しようとする課題】
【０００６】
特許文献１の場合、骨箱の二重構造や各骨箱への漆の塗布により、遺骨の衛生的な保存は改善されると考えられる。しかしながら、たとえ二重構造や漆の耐水性、耐湿性によっても、水分または湿気の各骨箱への侵入や、各骨箱からの排除を実現することはできない。遺骨は早晩水分を含む雰囲気にさらされ、漆の抗菌効果、殺菌効果にもかかわらず、カビや細菌が繁殖する恐れがある。そうなれば、やがて異臭も発生し、長期間の使用によって遺骨が変色することにもなる。これらを防止するためには、二重構造であると否とにかかわらず、骨壺（骨箱）内の水分または湿気を吸収するとともに、抗菌効果、殺菌効果を高め、またたとえ異臭が発生したとしてもそれを消臭する機能を骨壺に付与することが望ましい。
【０００７】
本考案は、上述のような問題点に鑑みなされたもので、水分または湿気や匂いを吸収でき、カビや細菌の発生を抑え、遺骨が変色しにくい骨壺を提供することを目的とする。
【０００８】
また、本考案の別の目的は、骨壺内で使用される炭含有枠体を備え、水分または湿気や匂いを吸収でき、カビや細菌の発生を抑え、遺骨を変色しにくくする炭含有枠体を交換可能にした骨壺を提供することにある。
【課題を解決するための手段】
【０００９】
上述の目的を達成するため、本考案の１つの態様によれば、遺骨を収納するための骨壺において、上部に開口を有する本体部と、前記開口を開閉可能に閉鎖するふた部と、前記本体部を、炭粉末およびバインダを含む炭含有体とした、骨壺が提供される。
本考案では、前記本体部の一部又は全部を、前記炭含有体で構成することが可能である。好ましくは、本体部は、長方形の各角部を切り欠いた８角形の水平断面形状を有し、上記炭含有枠体も同様の水平断面形状を有する。
【００１０】
前記炭含有体は、炭粉末およびバインダを含む混合物を成型してなる炭板とすることができる。
【００１１】
好ましくは、上記炭粉末は果物の樹木の炭粉末であり、バインダは木工のりである。
この骨壺は、本体部およびふた部が木製の骨箱とすることができる。
【００１２】
また、本体部およびふた部は、少なくとも外面が漆塗りされたものとすることができる。
本体部は、故人に関する情報を表示するように構成された前面を備えるように構成することが可能である。
さらに、ふた部も、本体部と同様に、炭含有体とすることが好ましい。
【００１３】
また、前記炭含有体を前記本体部と分離して、前記本体部内に設けられる別体としてもよい。この場合、炭含有体は、炭粉末およびバインダを含み、本体部内に取り外し可能に装入され、本体部に収納される遺骨と本体部の内壁とを隔てるように配置される炭含有枠体とすることが可能である。
【００１４】
好ましくは、上記炭含有枠体は無底、無蓋であり、本体部の水平断面形状と同一の水平断面形状を有する。
【００１５】
また、炭含有枠体は、構造簡単な枠体であることから、簡易に製作することができる。また、炭含有枠体は、単に上方から押し込むだけで本体部内に装入できるので、使用方法も簡便である。また、炭含有枠体は本体部から取り外し可能であるので、例えば除臭効果が低下したとき等に、本体部から取り出して水洗し、水洗後にまた骨壺に戻すこともできる。必要に応じて、骨壺内の炭含有枠体を新たな炭含有枠体と取り換えることもできる。
【００１６】
本考案の別の態様によれば、上部に開口を有する本体部と、上記開口を開閉可能に閉鎖するふた部とを備える骨壺と共に使用される炭含有枠体であって、炭粉末およびバインダを含み、上記本体部内に取り外し可能に装入され、上記本体部に収納される遺骨と上記本体部の内壁との間を隔てるように配置される、炭含有枠体が提供される。
【考案の効果】
【００１７】
本考案によれば、炭は水分や匂いを吸収する効果を有し、また抗菌性や防カビ性も有することから、炭粉末（およびバインダ）を含む炭含有体によって、骨壺に収納された遺骨を安定した衛生的な状態に保持することができる。
【００１８】
また、本考案によれば、骨壺と共に使用される炭含有枠体が提供されるが、この炭含有枠体は、構造が簡単で、骨壺の本体部とは別個の部材であり、単に上方から押し込めば本体部に装入することができる
【００１９】
本考案の他の目的および利点は、以下の考案の詳細な説明、添付図面、および添付した実用新案登録請求の範囲の記載から明らかとなろう。
【図面の簡単な説明】
【００２０】
【図１】本考案の実施の形態による骨壺（骨箱）を示す斜視図である。
【図２】図１に示す骨壺の平面図である。
【図３】図１に示す骨壺の側面図である。
【図４】図１に示す骨壺の正面図である。
【図５】図３のＡ−Ａ線に沿う断面図である。
【図６】図１の骨壺内に配置される炭含有枠体を示す斜視図である。
【考案を実施するための最良の形態】
【００２１】
以下、本考案の実施の形態について、図面を参照しながら説明する。
【００２２】
図１〜５を参照すると、本実施の形態の骨壺は、長方形の各角部を切り欠いた８角形の水平断面形状を有する骨箱１である。この骨箱１は、上部に開口を有する有底の本体部３と、本体部の上部に被着されて上記開口を開閉可能に閉鎖するふた部５とを備える。本体部３は、左右側板７と、前後側板９（一方の前側板９のみ図示）と、各角部に位置する角部側板１１と、底板１３とを含む。各側板７、９、１１は、互いに、また底板１３と、適宜の手段、たとえば接着剤、木工のり、釘、金具等を用いて接合される。前後側板９は、左右側板７よりも小さい幅寸法を有し、角部側板１１よりも大きい幅寸法を有する。また、各側板７、９、１１は、幅寸法よりも大きい高さ寸法を有している。本体部３は、全高さにわたって同一の水平断面積を有している。
【００２３】
ふた部５は、長方形の各角部が切り欠かれた８角形の形状を有する天板１５と、天板の外周部から下方に延びる左右側板１７と、前後側板１９と、角部側板２１とを有する。本体部３と同様、前後側板１９は、左右側板１７よりも小さい幅寸法を有し、角度側板２１よりも大きい幅寸法を有している。本体部３と異なり、各側板１７、１９、２１は、幅寸法よりも小さい高さ寸法を有している。なお、骨箱１（本体部３およびふた部５）に角部を設けるのは、美的外観を向上させるとともに、屋内納骨堂や仏壇等の骨壺収納スペースに並べて収納する場合等に、骨箱の出し入れを容易にするためである。ふた部５の天板１５と各側板１７、１９、２１との外側境界面には、前者から後者にかけて丸みがつけられている。ひっかきを防止するとともに、見栄えを向上させるためである。
【００２４】
本体部３の上端には、ふた部５を被着させるための係合段部２３（図５）が形成されている。係合段部２３は、本体部３の上端にて、各側板７、９、１１の厚みの半分（内側の半分）を残して形成されている。一方、ふた部５の各側板１７、１９、２１は、図５から明らかなように、断面視で、本体部３の各側板７、９、１１の半分の厚さを有している。ふた部５は、このように、本体部３の係合段部２３とふた部５の薄肉の側板１７、１９、２１とを介して、本体部に取り外し可能に被着されて本体部の開口を閉鎖し、本体部を密閉する。被着時、ふた部５の外面と本体部３の外面とは、面一となる。
【００２５】
骨箱１を形成する材料は、特に限定されず、木材や陶磁器や金属を用いることができるが、本実施の形態においては、木材が使用されている。木材の例としては、通常骨箱を製作するのに用いられる、例えばツゲ、ヒノキ、サクラ、サワラ、ヒバ等を挙げることができる。これら木材の２種以上を組み合わせて用いてもよい。例えば、本体部３とふた部５とを異なる木材で形成することもできる。本実施の形態の骨箱１は、一例として、幅１４０ｍｍ、高さ２３０ｍｍ、および奥行き２７０ｍｍの寸法を有する。かかる寸法であれば、例えば男性の場合の遺骨収納時の重量が４ｋｇ前後、女性の場合で３〜４ｋｇとして、２つの骨箱１を、例えば、納骨式仏壇の骨箱収納スペース（一例として、幅３８５ｍｍ、高さ２９８ｍｍ、奥行き３３５ｍｍの骨箱収納スペース）等に美観を損なうことなく収めることができる。あるいはまた、屋内納骨堂の上下左右に整列された、前面をガラス扉とした納骨室（図示せず）に体裁よく収めることができる。
【００２６】
本実施の形態において、骨箱１を構成する本体部３およびふた部５の外面には全体に、漆塗りが施される。骨箱１の美観を向上させるためである。また、漆は熱や湿気にも強く、抗菌、殺菌効果や防腐、防虫効果を有することから、骨箱内の遺骨および骨箱を保護するためである。本体部３の係合段部２３（図５）と、これと係合するふた部５の部分にも漆塗りをするのが好ましい。ふた部５の被着時、本体部３とふた部５との間の密閉性を高めるためである。本体部３の底板１１の外面にも漆塗りを施すのが好ましい。これは底板１１から腐食が発生するのを防止するためである。また、本体部３およびふた部５の内面にも漆塗りを行ってもよい。漆の種類は特に限定されず、生漆、透漆または黒漆であってもよい。塗りは一層のみでも、重ね塗りでも、下地処理後に塗っても、その他の塗り方であってもよい。着色顔料を加えて塗ってもよい。漆塗りのためには、好適には、漆刷毛、布等を用いることができるが、漆液に浸して行うことも可能である。
【００２７】
骨箱１の前面、すなわち本体部３の前側板９の前面は、本実施の形態において、故人に関する情報、例えば戒名、没年月日、俗名、行年を記載するための表示部２５を構成する。これにより、骨箱１の前面を故人の位牌代わりとすることができる。このことは、特に屋内納骨堂の、前面をガラス扉とした納骨室に骨箱１を収める場合に有利である。表示部２５への戒名等の表示は、前側板９の前面の漆層に、直接手書きで墨書したり、塗料をスプレーしたり、金箔等を貼ったり、印刷したり、またはその他の適宜の手段によって行うことができる。また、戒名等を記載した表示物（図示せず）を貼付して行ってもよい。また、前側板９の前面に矩形の凹陥部（図示せず）を設け、この凹陥部に表示物をはめ込んでもよい。さらには、前側板９の前面に、一辺に開口部を有するコ字形の枠体を設け、この枠体内に上記開口部を介して戒名等を記載した表示物を挿入するようにしてもよい。また、前側板９が構成する表示部２５には、戒名等の文字の他、図形、写真等を表示ようにすることもできる。
【００２８】
前記本体部３は、炭粉末とバインダ（結合剤）を用いて製作することができるが、以下に、その製作手順について、炭粉末を果物の樹木から製作する場合を例に説明する。
ａ．木炭製作：果物の木を窯で焼き、炭の塊を得る。果物の木は硬いので、炭の質を高めることができる。例えば、リンゴの木である。得られた炭は、固く軽く、空洞の数も多く、濾過機能の優れるものである。
ｂ．木炭粉加工：機械で塊状の炭を粉砕し、精製された炭粉末にする。
ｃ．炭板に成形：炭粉末にバインダとして木工のりを混ぜ入れ、圧力をかけ、金型を用いて自然乾燥させ、炭板を得る。なお、本体部３は通気性を有することが好ましいので、木工のりも通気性に優れたものを選択するのがよい。バインダとしては、木工のりの他にも、通気性を有する樹脂、例えば発泡ウレタン樹脂を用いることができる。
ｄ．炭板加工：使用する骨壺（骨箱）の本体部１の形状や寸法に合わせ炭板を切断する。すなわち、ここで炭板である本体部３の各側板を形成する。
ｅ．組立：カットした炭板を組立接合する。接合には、接着剤、木工のり、金具等を用いることができる。
ｆ．表面塗装：組み立てた本体部３の表面に凹凸部分があれば、例えば炭のりを塗って補正する。その後、必要に応じて、樹脂塗装仕上げを行う。その際使用する樹脂についても、通気性に優れたものを選択するのが好ましい。その後、塗装面に色付けのための吹き付けを行ってもよい。
【００２９】
本体部３を上記のようにして形成すれば、これに含まれる炭が、水分や匂いを吸収する効果を有し、また抗菌性や防カビ性も有することから、骨箱１に収納された遺骨を安定した衛生的な状態に保持することができる。
また、ふた部５も、上述した本体部３と同様の製作手順で製作することができる。
【００３０】
なお、本実施の形態では、骨壺として８角形の水平断面形状を有する骨箱を用いたが、本考案は、このような骨箱に限定されず、従来のような円形の骨壺であっても、４角形や６角形を含む各種の多角形の骨壺にも等しく適用することができる。その場合には、これらの骨壺の形状や寸法に合わせて炭含有枠体を製作すればよい。また、全高さにわたって同一の径または断面積を有する骨壺に限らず、例えば上方に向けて径または断面積が大きくなる骨壺にも同様に適用可能である。また、骨壺を構成する材料についても木材に限られない。炭含有枠体が骨壺とは分離可能な部材であることから、骨壺の材質いかんを問わず、陶磁器や金属製の骨壺にもはめ込むことができるからである。また、本実施の形態では、炭含有枠体を無底無蓋の枠体としているが、有底有蓋の枠体としてもよい。また、本実施の形態では、炭含有枠体は骨箱の本体部と同一の水平断面形状を有するとしているが、本体部の形状と多少異なっていてもかまわない。骨壺の本体部内に装入でき、遺骨と本体部の内面との間に配置できればその機能を有効に発揮できるからである。また、屋内ではなく墓内に収められる骨壺に炭含有枠体を使用することもできる。また、本考案の骨壺（骨箱）は、人ではなく、犬や猫等のペットの遺骨を収容し供養するために用いることもできる。
【００３１】
（他の実施の形態）
図６は、他の実施の形態において使用され、骨箱１の内部に配置される炭含有枠体３１を示す。
この炭含有枠体３１は、本体部３（およびふた部５）とは別個の部材であり、本体部内に取り外し可能に装入されるものである。
炭含有枠体３１は、無底、無蓋の中空枠体である。炭含有枠体３１は、本体部３と同様、長方形の各角部を切り欠いた８角形の水平断面形状を有し、本体部と同様、左右側板３７、前後側板３９、および角部側板４１を備えている。炭含有枠体３１は、上述のように、本体部３と同一の水平断面形状を有しているが、全体として、本体部よりも若干小さい寸法（幅、高さ、および奥行き）を有している。すなわち、炭含有枠体３１の各側板３７、３９、４１は、それぞれ本体部３の対応する側板７、９、１１よりも若干小さい幅および高さを有している。炭含有枠体３１は、本体部３に上方からはめ込むようにして、入れ子式に装入される。故人の遺骨は、本体部３にはめ込まれた炭含有枠体３１の内部に収められる。したがって、炭含有枠体３１は、遺骨と本体部３の内面との間を隔てるように配置される。炭含有枠体３１は、上端をつまんで持ち上げること等により、本体部３から取り外すこともできる。なお、本実施の形態では、炭含有枠体３１は、本体部３の形状に合わせて、長方形の各角部を切り欠いた８角形の断面形状を有しているが、使用する骨壺（骨箱）の形状に合わせて適宜の形状とすることができる。
【００３２】
炭含有枠体３１は、炭粉末とバインダ（結合剤）を用いて製作することができるが、その製作手順は、炭粉末およびバインダを含む上述の本体部３と同様である。
【００３３】
炭は水分や匂いを吸収する効果を有し、また抗菌性や防カビ性も有することから、炭含有枠体３１によって、骨箱１に収納された遺骨を安定した衛生的な状態に保持することができる。また、炭含有枠体３１は、構造簡単な無底無蓋の中空筒体であり、本体部３（およびふた部５）から取り外し可能であるので、本体部とは切り離して簡易に製作することができる。また、炭含有枠体３１は、単に本体部３内に入れ子式にはめ込むだけで使用できるので、使用に際し煩雑な作業が要求されることもない。また、炭含有枠体３１は本体部３から取り外し可能であることから、除臭効果が低下したとき等に、本体部から取り出して水洗し、水洗後に元の本体部に戻して使用することもできる。また、除臭効果が低下したとき等に、本体部３内の炭含有枠体３１を新たな炭含有枠体と取り換えることもできる。さらに、炭含有枠体３１は本体部３とは独立した部品であるので、専用の骨壺（骨箱）を必要とせず、市販の骨壺にそのまま適用することもできる。なお、本実施の形態では、骨箱１の外面に漆塗りが施されているので、炭含有枠体３１と漆塗布層とによる両方の抗菌、殺菌効果等を得ることができる。
【００３４】
本考案の好ましい実施の形態を図示し説明したが、上述したところからも明らかなように、これは単に例示であり、本考案の範囲を限定するものと解釈されるべきではない。本書の記載から、本考案の精神及び範囲を逸脱することなく多くの変形例や改変例等が可能であるが、これらの変形例や改変例等は本考案の保護の範囲に含まれるものと解釈されるべきである。
【符号の説明】
【００３５】
１    骨箱
３    本体部
５    ふた部
７    本体部の左右側板
９    本体部の前後側板
１１    本体部の角部側板
１３    本体部の底板
１５    ふた部の天板
１７    ふた部の左右側板
１９    ふた部の前後側板
２１    ふた部の角部側板
２３    係合段部
２５    表示部
３１    炭含有枠体
３７    炭含有枠体の左右側板
３９    炭含有枠体の前後側板
４１    炭含有枠体の角部側板
【図１】
0003184753.tif 000003
【図２】
0003184753.tif 000004
【図３】
0003184753.tif 000005
【図４】
0003184753.tif 000006
【図５】
0003184753.tif 000007
【図６】
0003184753.tif 000008